(57)【特許請求の範囲】
【請求項１】
上ケースと下ケースからなり、回動自在に形成してなる名刺入れであって、下ケースの底板に、指を入れ１枚の名刺を引き出すための引出孔を設け、かつ、下ケースの前板下部に名刺出口を設けると共にガイドプレートを設け、上ケースの天板に名刺を押圧する押え具を設け、ガイドプレートの下面を名刺出口の上面より適宜下方へ突出してなり、ガイドプレートは、内側に案内面を設けると共に、下面中央を水平面に、下面両側を傾斜面に形成してなることを特徴とする名刺入れ。
【請求項２】
上ケースと下ケースからなり、回動自在に形成してなる名刺入れであって、下ケースの底板に、指を入れ１枚の名刺を引き出すための引出孔を設け、かつ、下ケースのピンを設けてなる後部にガイドプレートを設けると共に、上ケースの天板に名刺を押圧する押え具を設け、ガイドプレートの下面を名刺出口の上面より適宜下方へ突出してなり、ガイドプレートは、内側に案内面を設けると共に、下面中央を水平面に、下面両側を傾斜面に形成してなることを特徴とする名刺入れ。
【請求項３】
上ケースに、名刺止部を設けてなることを特徴とする請求項１又は２記載の名刺入れ。
【発明の詳細な説明】
【技術分野】
【０００１】  本発明は、指先を使用し、名刺を下方より１枚づつ取り出せるように構成した名刺入れに関するものである。【０００２】  従来の技術としては、箱の天板と蓋とにより名刺取出口が形成されているとともに、該蓋に名刺を押し出す名刺押出穴が穿設されている名刺入れがある。（特許文献１参照）【０００３】  また、別の従来技術としては、直方体に形成されたケース部と、前記ケース部と一体に形成された蓋部が設けられた名刺入れにおいて、前記ケース部の前面側立上壁を切欠いて開口部を形成すると共にこの開口部に沿って摺動可能に名刺の取出機構部が取り付けられ、前記ケース部の後ろ面側立上壁の内側に名刺の押しバネが取り付けられていることを特徴とする名刺入れがある。（特許文献２参照）
【先行技術文献】
【特許文献】
【０００４】
【特許文献１】実開昭６３−１８５６２４号公報
【特許文献２】特開２００１−２６１０７９号公報
【発明の概要】
【発明が解決しようとする課題】
【０００５】  上記前者においては、蓋に名刺を押し出す名刺押出穴が穿設してなるもので、第３図にあるように名刺押出穴を上面にし、名刺を押し出すもので、相手に押し出し方が見えてしまいオシャレではない。
また、同時に２枚出てくる可能性もある。【０００６】  上記後者においては、蓋部を開閉することにより開口部の位置がズレてしまい名刺がうまく出なくなる可能性がある。【０００７】  本発明は、このような従来の構成が有していた問題を解決しようとするものであり、下ケースに引出孔を設け、前板あるいは後板に名刺出口を設けると共に名刺出口にガイドプレートを設けることにより、名刺をお客様（相手）に見えることなく、１枚づつ、確実に、指で引き出すことができ、いただいた名刺（相手）は下ケースに上方から入れることにより、区分して収納が可能となり、名刺をなくすこともない名刺入れを提供することを目的とする。
【課題を解決するための手段】
【０００８】  本発明は、上記目的を達成するために、上ケースと下ケースからなり、回動自在に形成してなる名刺入れであって、下ケースの底板に、指を入れ１枚の名刺を引き出すための引出孔を設け、かつ、下ケースの前板下部に名刺出口を設けると共にガイドプレートを設け、上ケースの天板に名刺を押圧する押え具を設けてなること。ガイドプレートの下面を名刺出口の上面より適宜下方へ突出してなること。上ケースと下ケースからなり、回動自在に形成してなる名刺入れであって、下ケースの底板に、指を入れ１枚の名刺を引き出すための引出孔を設け、かつ、下ケースの後部にガイドプレートを設けると共に、上ケースの天板に名刺を押圧する押え具を設けてなること。ガイドプレートは、内側に案内面を設けると共に、下面中央を水平に、下面両側をテーパー上に形成してなること。上ケースに、名刺止部を設けてなること。底板上に平板状で、後部に立設した係止部を形成してなる押出板を設けると共に、押出板を前後移動すべく引出孔より下方に突出するスライド部を形設してなる押出具を設けてなること。下ケースの後部に、名刺の後方に空間を設けるための、前面を斜状に形成した整列部を設けてなること。受け取った名刺は下ケース内に、上方から入れる事により区分して収納ができる。
【発明の効果】
【０００９】１）下ケースの底板に引出孔を設け、前板あるいは後板の名刺出口を設けると共に、上ケースの押え具との構成により、お客様（相手）に見えることなく瞬間に一枚づつ確実に指で引き出すことができ、意外性がうける。
２）ガイドプレートは、下から二枚目の名刺に力学的に作用するので、一番下の名刺は確実に引出すことができる。
３）名刺止部によりすばやく、かつ、マナー通りに名刺の交換ができる。
４）受け取った名刺（相手の）は下ケースに上から入れることにより、区分して収納できる。
【図面の簡単な説明】
【００１０】
【図１】本発明の第１実施例を示す名刺入れの斜視図。
【図２】本発明の第１実施例を示す名刺入れの底面図。
【図３】本発明の第１実施例を示す名刺入れの拡大正面図。
【図４】本発明の第１実施例を示す名刺入れの拡大断面使用状態側面図。
【図５】本発明の第１実施例を示す名刺入れの使用第１状態図。
【図６】本発明の第１実施例を示す名刺入れの使用第２状態図。
【図７】本発明の第１実施例を示す名刺入れの使用第３状態図。
【図８】本発明の第１実施例を示す名刺入れの使用第４状態図。
【図９】本発明の第１実施例を示す名刺入れの使用第５状態図。
【図１０】本発明の第１実施例を示す名刺入れの使用第６状態図。
【図１１】本発明の第１実施例を示す名刺入れの使用第７状態図。
【図１２】本発明の第１実施例を示す名刺入れの使用第８状態図。
【図１３】本発明の第２実施例を示す名刺入れの斜視図。
【図１４】本発明の第２実施例を示す名刺入れの底面図。
【図１５】本発明の第２実施例を示す名刺入れの拡大正面図。
【図１６】本発明の第２実施例を示す名刺入れの拡大断面使用状態側面図。
【図１７】本発明の第３実施例を示す名刺入れの斜視図。
【図１８】本発明の第３実施例を示す名刺入れの底面図。
【図１９】本発明の第３実施例を示す名刺入れの拡大正面図。
【図２０】本発明の第３実施例を示す名刺入れの拡大断面使用状態側面図。
【発明を実施するための形態】
【００１１】  第１実施例の名刺入れの説明をする。
１は、下ケース２と上ケース３からなり、軸支持部４にて回動自在に形成してなる名刺入れである。
５は、下ケース２の底板２ａに、指を入れて１枚の名刺を引き出すための、長孔による引出孔である。
６は、下ケース２の前板２ｂの下面に形設したスリット状の名刺出口である。
７は、上ケース３の前板３ｂに設けた爪片７ａが係止する係止孔７ｂとからなる止具である。
８は、上ケース３の天板３ａ内面に設けたバネ線による名刺を押圧する押え具である。
９は、下ケース２の前板２ｂの内側に設けてなるガイドプレートで、後部下面に名刺案内面９ａを形設すると共に、底面の中央付近に水平面９ｂを、両側に傾斜面９ｃ・９ｄを形設してある。
この水平面９ｂの下面と名刺出口の下面との隙間Ｓは、両側の隙間Ｓ１より小さいものとする。このことにより名刺を１枚づつ引き出すことができる。
１０は、上ケース２３の天板３ａの外面に設けてなる平板状の名刺止部である。
【００１２】  上記名刺入れ１の使用例について下記に述べる。
１）基本的に左手Ｈで名刺入れ１を名刺止部１０が上に来るように持つ。（図５）
２）右手Ｍの親指ＯＹと人差し指ＨＳで名刺入れ１を挟む。（図６）
３）人差し指ＨＳは、名刺入れ１の下ケース２の引出孔５に入れる。（図７）
４）人差し指ＨＳを右手側ＭＴに１番下端の名刺ＭＳを引き出す。（図８）
５）名刺ＭＳを右手Ｍの親指ＯＹと人差し指ＨＳで挟んで取り出す。（図９）
６）名刺ＭＳの左角ＨＫを左手Ｈの親指ＯＹで挟んで名刺止部１０の下端外側に合わせる。（図１０）
７）右手Ｍの親指ＯＹの名刺ＭＳの右端を押えて相手に差し出す。（図１１）
８）相手から頂戴した名刺は、止具７の爪片７ａを係止孔７ｂより外し、上ケース３を回動させて開口し、下ケース２の上方より入れる。（図１２）
なお、自分の名刺を入れる時も同様である。
【００１３】  つぎに、第２実施例の名刺入れの説明をする。
名刺入れ２１は、下ケース２２と上ケース２３からなり、ピン２４にて回動自在に形成してなる。
上ケース２３は、前記と同様な前板２ｂ・止具７の爪片７ａ・押え具８・止具１０を設けてある。
下ケース２２は、前記と同様な前板２ｂ・止具７の係止孔７ｂ・引出孔５を設けてあると共に、前部下面に案内面２９ａを設け、底面の中央付近に水平面２９ｂを、両側に傾斜面２９ｃ・２９ｄを形設してあるガイドプレート２９を後部のピン２４にて固定してある。
【００１４】  上記名刺入れ２１の使用例は、前記名刺入れ１と同様であり、通常前方から名刺が出るものが、後方から出る意外性がうける。
【００１５】  つづいて、第３実施例の名刺入れの説明をする。
上記、第１実施例の名刺入れ１に押出具及び整列部を設けてなるもので、名刺入れ３１は、底板２ａ上に、平板状で後部に立設した係止部１１ａ１を形成した押出板１１ａを設けると共に、押出板１１ａを前後移動すべく、引出孔５より下方に突出するスライド部
１１ｂを形設してなる押圧具１１と、下ケース２の後部に、名刺の後方に空間を設けるための前面を斜状に形成した、三角柱形の整列部１２を左右に２箇所設けなるものである。
【００１６】  上記名刺入れ３１の使用例について下記に述べる。
特に、押圧具１１と整列部１２の動きについて説明する。
名刺ＭＳ１を上方から下ケース２内に入れる時、名刺ＭＳ１の後端が整列部１２により斜状に形成され、前方に移動している。この状態で、人差し指ＨＳ１でスライド部１１ｂを押え右側に移動させることにより、押出板１１ａの係止部１１ａ１が名刺ＭＳ１の後端を係止し、右側（前方）へ押し出され、名刺ＭＳ１を取り出すことができるものである。
なお、押し出した後に、もう一枚の名刺ＭＳ１を取り出す場合は、人差し指ＨＳ１でスライド部１１ｂを押え、左側に移動させ、押出板１１ａの係止部１１ａ１を名刺ＭＳ１の後端よりやや後方に位置させる。
その後、上記と問うような動作を行うものである。
【００１７】  上記各実施例において、材質等は、特に限定するものではない。
また、厚みは名刺を入れる枚数により決めればよい。
さらに、第３実施例の名刺入れ３１は第２実施例の名刺入れ２１にも応用できるものである。
【符号の説明】
【００１８】１―――名刺入れ
２―――下ケース
２ａ――底板
２ｂ――前板
３―――上ケース
４―――軸支持部
５―――引出孔
６―――名刺出口
７―――止具
８―――押え具
９―――ガイドプレート
１０――名刺止部
１１――押圧具
１２――整列部
【図１】
0005266434.tif 000002
【図２】
0005266434.tif 000003
【図３】
0005266434.tif 000004
【図４】
0005266434.tif 000005
【図５】
0005266434.tif 000006
【図６】
0005266434.tif 000007
【図７】
0005266434.tif 000008
【図８】
0005266434.tif 000009
【図９】
0005266434.tif 000010
【図１０】
0005266434.tif 000011
【図１１】
0005266434.tif 000012
【図１２】
0005266434.tif 000013
【図１３】
0005266434.tif 000014
【図１４】
0005266434.tif 000015
【図１５】
0005266434.tif 000016
【図１６】
0005266434.tif 000017
【図１７】
0005266434.tif 000018
【図１８】
0005266434.tif 000019
【図１９】
0005266434.tif 000020
【図２０】
0005266434.tif 000021